(57)【要約】      （修正有）【課題】相対する保護部材を等脚台形状に形成して、台形形状を有する刃物を固定した状態で収納することができるようにした、刃物収納装置を提供する。【解決手段】刃物収納装置１は、底部材１１、第一の保護部材１３、第二の保護部材１５を有している。のこぎり３が収納位置にあるときにおいては、第一の保護部材１３の開口部ｋ１と第二の保護部材１５の開口部ｋ３との間に刃形成部の３３ののこぎりの刃が形成される側部が配置され、側部が第一の保護部材１３の底部１３３及び第二の保護部材１５の底部１５３に当接することによって、のこぎり３が刃物収納装置１に固定的に収納される。【選択図】図２
0003147972.tif 000002
【実用新案登録請求の範囲】
【請求項１】
台形形状を有する底部材、
前記底部材の前記台形形状の上底部及び下底部の端点を接続する側部に沿って配置される凹状形状の保護部材、
を有する刃物収納装置であって、
前記保護部材は、
一の側部に形成される第一の保護部材及び他の一の側部に形成される第二の保護部材を有し、
前記第一の保護部材における前記凹状形状の第一の開口部と前記第二の保護部材における前記凹状形状の第二の開口部とが、互いに対向して位置すること、
を特徴とする刃物収納装置。
【請求項２】
請求項１に係る刃物収納装置において、
前記第一の保護部材における前記凹状形状の底部から前記第二の保護部材における前記凹状形状の底部までの距離である第一の距離が、前記刃物における刃が形成されている刃形成部の長手方向と直交する方向の距離である刃間距離より短い領域を有し、
前記第一の保護部材における前記凹状形状の凸部から前記第二の保護部材における前記凹状形状の凸部までの距離である第二の距離が、前記刃間距離より短い領域を有すること、
を特徴とする刃物収納装置。
【請求項３】
請求項１又は請求項２に係る刃物収納装置において、
前記底部材は、
等脚台形形状を有すること、
を特徴とする刃物収納装置。
【請求項４】
請求項３に係る刃物収納装置において、
前記第一の保護部材における前記凹状形状の深さと前記第二の保護部材における前記凹状形状の深さとが、互いに等しいこと、
を特徴とする刃物収納装置。
【請求項５】
請求項３又は請求項４に係る刃物収納装置のいずれかにおいて、
両刃ののこぎりを収納すること、
を特徴とする刃物収納装置。
【請求項６】
請求項２に係る刃物収納装置において、
前記第一の保護部材における前記凹状形状の深さが、前記第二の保護部材における前記凹状形状の深さよりも、大きいこと、
を特徴とする刃物収納装置。
【請求項７】
請求項２又は請求項６に係る刃物収納装置のいずれかにおいて、
片刃ののこぎりを収納すること、
を特徴とする刃物収納装置。
【請求項８】
刃物を所定の収納位置に収納する刃物収納装置であって、
前記刃物が前記収納位置にあるときにおいて、当該刃物の側部と交差する方向における端部から端部までの距離が、前記刃物の刃先側より前記刃物の柄側の方が短い底部材、
一の前記端部に配置される第一の係止部材であって、当該刃物が前記収納位置にあるときに、当該刃物の一の前記側部を係止する第一の係止部材、
他の前記側部に配置される第二の係止部材であって、当該刃物が前記収納位置にあるときに、当該刃物の他の前記側部を係止する第二の係止部材、
を有する刃物収納装置。
【請求項９】
請求項８に係る刃物収納装置において、
前記第一の係止部又は前記第二の係止部の少なくとも一つは、
前記刃物が前記収納位置にあるときに、当該刃物の前記側部の全体に沿うように形成されていること、
を特徴とする刃物収納装置。
【考案の詳細な説明】
【技術分野】
【０００１】
本考案は、刃物収納装置に関し、特に、のこぎりのような台形形状を有する刃物を収納するものに関する。
【背景技術】
【０００２】
従来の刃物収納装置である折畳み式刃物の鞘兼用ケース１００（以下、鞘兼用ケース１００とする。）の斜視図を図１０に示す。鞘兼用ケース１００は、吊下部１０１、基板１０２、折畳み式刃物用サック１０３を有している。
【０００３】
基板１０２は、硬質の皮革あるいは合成樹脂等の素材でなる扁平な縦長形状を有している。腰バンド１１１に対する吊下部１０１は、基板１０２の上端に形成される。折畳み式刃物用サック１０３は、基板１０２の前面に、上部を開放させた軟質の皮革あるいは合成樹脂の素材でなるリベット１１５による逢着、あるいは接着剤等の手段で止着されている。
【０００４】
折畳み式刃物用サック１０３には、次第に上方から下方になるにつれて細長く形成され、かつほぼ中腹部には狭窄部１１２が形成されている。また、刃物用サック１０３の狭窄部１１２より上半部は、柄体保持部１０５となっており、折畳み式刃物を折畳んだ状態で収容できるようになっている。
【０００５】
また、刃物用サック１０３の狭窄部１１２より下半部は、柄体保持部１０５に連通状態になるように刃体収納部１０６が連設されている。折畳み式刃物を引出し状態のまま刃物用サック１０３に挿入した場合、柄体保持部１０５に柄体１１０が相対し、刃体収納部１０６に鋸刃が相対する。したがって、この状態から、再び、折畳み式刃物を使用しようとする場合、鋸刃は既に引出された状態（使用状態）にあるため、直ちに鋸挽き作業に移ることができる。
【０００６】
【特許文献１】実開平７−２４５７５公報
【考案の開示】
【考案が解決しようとする課題】
【０００７】
しかしながら、従来の刃物収納装置１００には、以下に示す改善すべき点があった。のこぎりのように先端に向かって広がっていく形状を有する刃物を保持しようとする場合では、刃物の挿入口の大きさを刃物の先端の大きさとする必要がある。このため、刃物の柄体を固定できず、ひいては収納装置において刃物を固定できない、という改善すべき点がある。
【０００８】
そこで、本考案では、台形形状を有する刃物を固定した状態で収納することができる刃物収納装置を提供する事を目的とする。
【考案の効果】
【０００９】
本考案に係る考案者は、様々な検討を重ねた結果、本考案に係る装飾装置を完成した。以下に、本考案における課題を解決するための手段及び考案の効果を示す。
【００１０】
本考案に係る刃物収納装置は、台形形状を有する底部材、前記底部材の前記台形形状の上底部及び下底部の端点を接続する側部に沿って配置される凹状形状の保護部材、を有する刃物収納装置であって、前記保護部材は、一の側部に形成される第一の保護部材及び他の一の側部に形成される第二の保護部材を有し、前記第一の保護部材における前記凹状形状の第一の開口部と前記第二の保護部材における前記凹状形状の第二の開口部とが、互いに対向して位置する。
【００１１】
これにより、台形形状の刃物を第一の保護部材の第一の開口部及び第二の保護部の第二の開口部の間に配置することによって、容易に刃物を収納することができる。
【００１２】
本考案に係る刃物収納装置は、前記第一の保護部材における前記凹状形状の底部から前記第二の保護部材における前記凹状形状の底部までの距離である第一の距離が、前記刃物における刃が形成されている刃形成部の長手方向と直交する方向の距離である刃間距離より短い領域を有し、前記第一の保護部材における前記凹状形状の凸部から前記第二の保護部材における前記凹状形状の凸部までの距離である第二の距離が、前記刃間距離より長い領域を有する。
【００１３】
これにより、台形形状の刃物を刃物収納装置に収納する際に、刃物を第二の領域に配置して、第一の保護部材の第一の開口部及び第二の保護部の第二の開口部の間に配置し、その後、刃物を第一の距離が刃間距離より短い領域に移動させることによって、刃物を刃物収納装置に固定することができる。よって、刃物を刃物収納装置に固定的に収納することができる。
【００１４】
本考案に係る刃物収納装置は、前記底部材は、等脚台形形状を有する。
【００１５】
これにより、等脚台形形状を有する刃物を固定的に収納することができる。
【００１６】
本考案に係る刃物収納装置は、前記第一の保護部材における前記凹状形状の深さと前記第二の保護部材における前記凹状形状の深さとが、互いに等しい。
【００１７】
これにより、等脚台形形状を有する刃物を固定的に収納することができる。
【００１８】
本考案に係る刃物収納装置は、両刃ののこぎりを収納する。
【００１９】
これにより、両刃ののこぎりを固定的に収納することができる。
【００２０】
本考案に係る刃物収納装置は、前記第一の保護部材における前記凹状形状の深さが、前記第二の保護部材における前記凹状形状の深さよりも、大きい。
【００２１】
これにより、片刃の刃物を固定的に収納することができる。
【００２２】
本考案に係る刃物収納装置は、片刃ののこぎりを収納する。
【００２３】
これにより、片刃ののこぎりを固定的に収納することができる。
【００２４】
本考案に係る刃物収納装置は、前記刃物が前記収納位置にあるときにおいて、当該刃物の側部と交差する方向における端部から端部までの距離が、前記刃物の刃先側より前記刃物の柄側の方が短い底部材、一の前記端部に配置される第一の係止部材であって、当該刃物が前記収納位置にあるときに、当該刃物の一の前記側部を係止する第一の係止部材、他の前記側部に配置される第二の係止部材であって、当該刃物が前記収納位置にあるときに、当該刃物の他の前記側部を係止する第二の係止部材、を有する。
【００２５】
これにより、
側部と交差する方向における端部から端部までの距離が刃先側より柄側の方が短い刃物を刃物収納装置に係止することができる。つまり、所定の刃物を固定的に収納することができる。
【００２６】
本考案に係る刃物収納装置は、前記第一の係止部又は前記第二の係止部の少なくとも一つは、前記刃物が前記収納位置にあるときに、当該刃物の前記側部の全体に沿うように形成されている。
【００２７】
これにより、刃物を収納した際に、刃物の側部に形成された刃を保護することができる。
【考案を実施するための最良の形態】
【００２８】
以下、本考案の実施例を図面を用いて詳細に説明していく。
【実施例１】
【００２９】
本考案に係る刃物収納装置１を図１を用いて説明する。刃物収納装置１は、両刃ののこぎりを収納するものである。なお、図１における点線は、刃物収納装置１を説明するにあたり便宜上示したものであり、底部材１１と第一の保護部材１３、第二の保護部材１５とが分離して構成されていることを示すものではない。
【００３０】
刃物収納装置１は、底部材１１、第一の保護部材１３、第二の保護部材１５を有している。底部材１１は、等脚台形形状を有している。
【００３１】
第一の保護部材１３は、凹状形状を有している。また、第一の保護部材１３は、底部材１１の等脚台形形状の上底部ｕ１の端点ｔ１及び下底部ｄ１の端点ｔ３（図示せず）を接続する側部ｓ１３に沿って配置されている。
【００３２】
第二の保護部材１５は、凹状形状を有している。また、第二の保護部材１５は、底部材１１の等脚台形形状の上底部ｕ１１の端点ｔ５及び下底部ｄ１１の端点ｔ７を接続する側部ｓ１５に沿って配置されている。
【００３３】
第一の保護部材１３は、凹状形状により形成される第一の開口部ｋ１を有している。同様に、第二の保護部材１５も、第二の開口部ｋ３を有している。第一の保護部材１３の第一の開口部ｋ１と第二の保護部材１５の第二の開口部ｋ３とは、互いに対向して位置する。
【００３４】
また、第一の保護部材１３における凹状形状の深さＤ１と第二の保護部材１５における凹状形状の深さＤ３とは、互いに等しい。
【００３５】
刃物収納装置１に刃物である両刃ののこぎり３が収納位置で収納された状態を図２に示す。収納位置とは、のこぎり３が刃物収納装置１に固定される位置をいう。のこぎり３は、把持部３１及び刃形成部３３を有している。のこぎり３が収納位置にあるときにおいては、第一の保護部材１３の開口部ｋ１と第二の保護部材１５の開口部ｋ３との間に刃形成部の３３ののこぎりの刃が形成される側部３３ｒ、３３ｌ（後述）が配置され、側部３３ｒ、３３ｌが第一の保護部材１３の底部１３３及び第二の保護部材１５の底部１５３に当接することによって、のこぎり３が刃物収納装置１に固定的に収納される。また、のこぎり３が収納位置にあるときにおいては、把持部３１の刃形成部３３側の端部ｔ３１が、底部材１１の上底部ｕ１１に沿って位置する。このように、収納位置において、のこぎり３の把持部３１における端部ｔ３１を底部材１１の上底部ｕ１１に沿って位置させることによって、刃物収納装置１に、のこぎり３をしっかりと固定して収納することができる。
【００３６】
図２において刃形成部３３の表面に沿った断面、及び、刃形成部の３３ののこぎりの刃が形成される側部３３ｒ、３３ｌ（後述）の把持部３１側のそれぞれの端点における断面を図３に示す。
【００３７】
把持部３１は、使用者が手で把持する部分である。刃形成部３３は、等脚台形形状を有している。のこぎり３では、刃形成部３３における等脚台形の上底部ｕ３３が下底部ｄ３３よりも把持部３１に近い位置に配置される。刃形成部３３は、上底部ｕ３３と下底部ｄ３３とを結ぶ側部３３ｒ、３３ｌを有しており、側部３３ｒ、３３ｌにのこぎりの刃が形成される。
【００３８】
底部材１１は、のこぎり３が収納位置にあるときにおいて、のこぎり３の側部３３ｒ、３３ｌと交差する矢印ａ２の方向における端部から端部までの距離が、のこぎり３の先端側（距離Ｄ５）より把持部３１側（距離Ｄ７）の方が短くなるように構成されている。
【００３９】
次に、収納装置１にのこぎり３を収納する収納方法を図４を用いて説明する。図４においては、実線で描かれたのこぎり３の位置を挿入位置、点線で描かれたのこぎり３の位置を収納位置として表している。なお、挿入位置とは、収納装置１にのこぎり３を収納する前の位置をいい、収納位置とは、のこぎり３が収納装置１に収納された後の位置をいう。
【００４０】
第一の保護部材１３における凹状形状の底部１３３から第二の保護部材１５における凹状形状の底部１５３までの距離である第一の距離Ｄ４２が、のこぎり３における刃が形成されている刃形成部３３の長手方向と直交する矢印ａ４方向の距離のうち最短の距離である最短刃間距離Ｄｍｉｎより短い領域Ｒ３を有している。また、第一の保護部材１３における凹状形状の凸部１３１から第二の保護部材１５における凹状形状の凸部１５１までの距離である第二の距離Ｄ４１が、最短刃間距離Ｄｍｉｎより長い領域Ｒ１を有する。
【００４１】
したがって、のこぎり３を収納装置１に収納する際には、のこぎり３の最短刃間距離Ｄｍｉｎを有する部分が領域Ｒ１内に位置するようにした上で、刃形成部３３を底部材１１上に位置させて挿入位置とする。その後、挿入位置からのこぎり３を矢印ａ５方向へ引っ張る。すると、のこぎり３は、第一の距離Ｄ４２が最短刃間距離Ｄｍｉｎと一致する位置を収納位置として固定される。つまり、のこぎり３が収納位置にあるときに、第一の保護部材１３は、のこぎり３の側部３３ｒを係止する。同様に、第二の保護部材１５は、のこぎり３側部３３ｌを係止する。
【実施例２】
【００４２】
前述の実施例１においては、刃物収納装置１は両刃ののこぎり３を収納するものであった。本実施例における刃物収納装置５１は、片刃ののこぎり５３を収納する。
【００４３】
本考案に係る刃物収納装置５１を、刃物収納装置５１に片刃ののこぎり５３が収納位置で収納された状態を示す図５を用いて説明する。なお、図５における点線は、刃物収納装置５１を説明するにあたり便宜上示したものであり、底部材６１と第一の保護部材１３、第二の保護部材６５とが分離して構成されていることを示すものではない。
【００４４】
また、実施例１と同様の構成については同じ符号を付している。実施例１と同様の構成については説明を省略する。
【００４５】
刃物収納装置５１は、底部材６１、第一の保護部材１３、第二の保護部材６５を有している。底部材６１は、上底と下底とを結ぶ辺が斜辺及び垂線で構成される台形形状を有している。また、底板部材６１は、一部に切り欠き部Ｎ６１を有している。
【００４６】
第二の保護部材６５は、凹状形状を有している。また、第二の保護部材６５は、底部材６１の台形形状の垂線側の側部に沿って配置されている。
【００４７】
第一の保護部材１３は、凹状形状により形成される第一の開口部ｋ１を有している。同様に、第二の保護部材６５も、第二の開口部ｋ５有している。第一の保護部材１３の第一の開口部ｋ１と第二の保護部材６５の第二の開口部ｋ５とは、互いに対向して位置する。
【００４８】
また、第二の保護部材６５における凹状形状の深さＤ５は、第一の保護部材１３における凹状形状の深さＤ１より浅く形成されている。
【００４９】
収納位置とは、のこぎり５３が刃物収納装置５１に固定される位置をいう。のこぎり５３は、把持部７１及び刃形成部７３を有している。
【００５０】
次に、刃物収納装置５１にのこぎり５３を収納する収納方法を図６を用いて説明する。図６においては、実線で描かれたのこぎり５３の位置を挿入位置、点線で描かれたのこぎり５３の位置を収納位置として表している。なお、挿入位置とは、刃物収納装置５１にのこぎり５３を収納する前の位置をいい、収納位置とは、のこぎり５３が刃物収納装置５１に収納された後の位置をいう。
【００５１】
のこぎり５３は、把持部３１及び刃形成部７３を有している。刃形成部７３は、台形形状を有している。のこぎり５３では、刃形成部７３における台形の上底部ｕ３３が下底部ｄ３３よりも把持部３１に近い位置に配置される。刃形成部７３は、上底部ｕ７３と下底部ｄ７３とを結ぶ側部７３ｒ、７３ｌを有しており、側部７３ｒにのこぎりの刃が形成される。
【００５２】
底部材６１は、のこぎり５３が収納位置にあるときにおいて、のこぎり５３の側部７３ｒ、７３ｌと交差する矢印ａ６４の方向における端部から端部までの距離が、のこぎり５３の先端側（距離Ｄ５）より把持部３１側（距離Ｄ７）の方が短い。
【００５３】
第一の保護部材１３における凹状形状の底部１３３から第二の保護部材６５における凹状形状の底部６５３までの距離である第一の距離Ｄ７２が、のこぎり５３における刃が形成されている刃形成部３３の長手方向と直交する矢印ａ６４方向の距離のうち最短の距離である最短刃間距離Ｄｍｉｎより短い領域Ｒ６１を有している。
【００５４】
図６におけるのこぎり５３の挿入位置でのＸ−Ｘ断面を図７Ａに示す。のこぎり５３を刃物収納装置５１に収納する際には、のこぎり５３を斜めにし、側部５３ｒを刃物収納装置５１の第一の保護部材１３の開口部ｋ１に挿入する。のこぎり５３の側部５３が刃物収納装置５１の底部１５３に当接すると、のこぎり５３を矢印ａ６方向に回転させ、のこぎり５３を底部材６１に沿うように配置する。
【００５５】
図６に戻って、収納位置にあるのこぎり５３を矢印ａ６５方向に移動させる。これにより、のこぎり３は、第２の距離Ｄ２が最短刃間距離Ｄｍｉｎと一致する位置を収納位置として、固定される。図６におけるのこぎり５３の収納位置でのＹ−Ｙ断面を図７Ｂに示す。のこぎり５３は、収納位置にある状態では、のこぎり５３の側部７３ｒが刃物収納装置５１の底部１５３に当接し、また、のこぎり５３の側部７３ｌが刃物収納装置５１の底部６５３に当接する。つまり、のこぎり５３が収納位置にあるときに、第一の保護部材１３は、のこぎり５３の側部７３ｒを係止する。同様に、第二の保護部材６５は、のこぎり５３の側部７３ｌを係止する。
［その他の実施例］
（１）  保護部材
【００５６】
前述の実施例１においては、第一の保護部材１３を底部材１１の側部ｓ３に沿って配置するとしたが、のこぎり３が収納位置にあるときに、のこぎり３の側部３３ｒを係止することができるのであれば、例示のものに限定されない。例えば、図８に示すように、第一の保護部材１３を上端部ｕ１１側と下端部ｄ１１側とに分割して配置するようにしてもよい。第二の保護部材１５についても同様である。また、実施例２についても同様である。
（２）  底部材
【００５７】
前述の実施例１においては、底部材１１は等脚台形形状の一の部材としたが、のこぎり３が収納位置にあるときにおいて、のこぎり３の側部３３ｒ、３３ｌと交差する方向における端部から端部までの距離が、のこぎり３の刃形成部３３において刃先側より把持部３１側の方が短ければ例示のものに限定されない。例えば、図９に示すように、底部材１１を刃形成部３３の刃先側と把持部３１側とに分割して配置するようにしてもよい。第二の保護部材１５についても同様である。また、実施例２についても同様である。
（３）刃物
【００５８】
前述の実施例１においては、刃物収納装置１は両刃ののこぎり３を収納することとしたが、両刃の刃物であれば、例示のものに限定されない。
【００５９】
また、前述の実施例２においては、刃物収納装置５１は片刃ののこぎり５３を収納することとしたが、片刃の刃物であれば、例示のものに限定されない。
（４）材質
【００６０】
前述の実施例１及び実施例２においては、刃物収納装置１、５１は木材により形成されるとしたが、所定の形状を形成することができるものであれば、例示のものに限定されない。
（５）凹状形状の深さ
【００６１】
前述の実施例１においては、第一の保護部材１３における凹状形状の深さＤ１と第二の保護部材１５における凹状形状の深さＤ３とは、互いに等しいとしたが、凹状形状が形成されるのであれば、例示のものに限定されない。例えば、第一の保護部材１３における凹状形状の深さＤ１と第二の保護部材１５における凹状形状の深さＤ３とが異なってもよい。
【図面の簡単な説明】
【００６２】
【図１】本考案に係る刃物収納装置１の斜視図である。
【図２】刃物収納装置１にのこぎり３を収納した状態を示す図である。
【図３】図２に関する断面図である。
【図４】刃物収納装置１にのこぎり３を収納する方法を示す図である。
【図５】本考案に係る刃物収納装置５１の斜視図である。
【図６】刃物収納装置５１にのこぎり５３を収納した状態を示す図である。
【図７】刃物収納装置５１にのこぎり５３を収納する方法を示す図である。
【図８】他の実施形態に係る刃物収納装置を示す図である。
【図９】他の実施形態に係る刃物収納装置を示す図である。
【図１０】従来の刃物収納装置を示す図である。
【符号の説明】
【００６３】
１、５１・・・・刃物収納装置
３・・・・両刃ののこぎり
５３・・・・片刃ののこぎり
１１、６１・・・・底部材
１３・・・・第一の保護部材
１５、６５・・・・第二の保護部材
【図１】
0003147972.tif 000003
【図２】
0003147972.tif 000004
【図３】
0003147972.tif 000005
【図４】
0003147972.tif 000006
【図５】
0003147972.tif 000007
【図６】
0003147972.tif 000008
【図７】
0003147972.tif 000009
【図８】
0003147972.tif 000010
【図９】
0003147972.tif 000011
【図１０】
0003147972.tif 000012